【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
カメラ機能を有するスマートデバイス上に載置され、前記カメラと共に透過型複式顕微鏡を構成するレンズユニットであって、
前記カメラの光軸上に配置されるレンズと、
透明又は半透明材料からなり、前記レンズを前記光軸に垂直な方向から保持すると共に、その上に試料プレパラートが載置される板状の保持部材と、
前記保持部材の前記スマートデバイス側の面に設けられた第１の滑り止め材と、
前記保持部材の前記試料プレパラート側の面に設けられた第２の滑り止め材と、
を備え、
前記レンズの一部が前記保持部材から突出しており、前記第１及び第２の滑り止め材は前記レンズを囲むように設けられているレンズユニット。
【請求項２】
前記第１の滑り止め材及び前記第２の滑り止め材には平面視で円形状の孔が形成されており、前記保持部材から突出した前記レンズの一部は前記孔内に位置している請求項１に記載のレンズユニット。
【請求項３】
前記第１の滑り止め材及び／又は前記第２の滑り止め材は、樹脂材料又はゴム材料で形成されている請求項１又は２に記載のレンズユニット。
【請求項４】
前記レンズと前記保持部材とが一体で形成されている請求項１〜３のいずれか１項に記載のレンズユニット。
【請求項５】
前記保持部材には貫通孔が形成されており、前記貫通孔の内壁により前記レンズが保持されている請求項１〜３のいずれか１項に記載のレンズユニット。
【請求項６】
前記貫通孔の内壁が不透明化されている請求項５に記載のレンズユニット。
【請求項７】
前記第１の滑り止め材及び前記第２の滑り止め材が着色されている請求項１〜６のいずれか１項に記載のレンズユニット。
【請求項８】
前記第１の滑り止め材及び前記第２の滑り止め材の少なくとも一部が前記保持部材に埋め込まれている請求項１〜７のいずれか１項に記載のレンズユニット。
【請求項９】
請求項１〜８のいずれか１項に記載のレンズユニットと、
カメラ機能を有するスマートデバイスと、
を有し、
前記レンズユニットは、前記スマートデバイスの上に、前記レンズが前記カメラの光軸上に位置するように載置され、
前記試料プレパラートは、前記レンズユニット上に、前記レンズの上方に観察対象の試料が位置するように載置される透過型複式顕微鏡装置。
【請求項１０】
前記レンズユニットのレンズは、その光軸が前記カメラに搭載されたレンズの光軸と一致するように配置され、
前記試料の透過像は、前記レンズユニットのレンズ及び前記カメラのレンズにより拡大された後、前記カメラに搭載された撮像素子により取得される請求項９に記載の透過型複式顕微鏡装置。
【請求項１１】
請求項１〜８のいずれか１項に記載のレンズユニット又は請求項９若しくは１０に記載の透過型複式顕微鏡装置と共に使用される照明用キャップ部材であって、
不透明材料からなるキャップ部と、
前記キャップ部上面に嵌め込まれた採光用レンズと、
を有し、
前記レンズユニットのレンズとその上に載置された試料を覆うように配置され、前記採光用レンズで採光した光で前記試料を照明する照明用キャップ部材。
【請求項１２】
請求項１〜８のいずれか１項に記載のレンズユニット又は請求項９若しくは１０に記載の透過型複式顕微鏡装置と共に使用される照明用キャップ部材であって、
不透明材料からなるキャップ部と、
前記キャップ部上面に嵌め込まれた拡散板と、
を有し、
前記レンズユニットのレンズとその上に載置された試料を覆うように配置され、前記拡散板により拡散された光で前記試料を照明する照明用キャップ部材。
【手続補正２】
【補正対象書類名】明細書
【補正対象項目名】発明の名称
【補正方法】変更
【補正の内容】
【発明の名称】スマートデバイス用レンズユニット、透過型複式顕微鏡装置及び照明用キャップ部材
【手続補正３】
【補正対象書類名】明細書
【補正対象項目名】０００１
【補正方法】変更
【補正の内容】
【０００１】
本発明は、スマートデバイスと共に使用されるレンズユニット、このレンズユニットとスマートデバイスとで構成される透過型複式顕微鏡装置及びこれらに用いられる照明用キャップ部材に関する。より詳しくは、カメラ機能を有するスマートデバイスを用いて顕微鏡観察を行うための技術に関する。
【手続補正４】
【補正対象書類名】明細書
【補正対象項目名】０００８
【補正方法】変更
【補正の内容】
【０００８】
そこで、本発明は、スマートデバイスに取り付けることで容易に高分解能透過型顕微鏡像を取得することが可能なレンズユニット、このレンズユニットとスマートデバイスを用いた透過型複式顕微鏡装置及びレンズユニット又は顕微鏡装置と共に使用される照明用キャップ部材を提供することを目的とする。
【手続補正５】
【補正対象書類名】明細書
【補正対象項目名】０００９
【補正方法】変更
【補正の内容】
【０００９】
本発明に係るレンズユニットは、カメラ機能を有するスマートデバイス上に載置され、前記カメラと共に透過型複式顕微鏡を構成するレンズユニットであって、前記カメラの光軸上に配置されるレンズと、透明又は半透明材料からなり、前記レンズを前記光軸に垂直な方向から保持すると共に、その上に試料プレパラートが載置される板状の保持部材と、前記保持部材の前記スマートデバイス側の面に設けられた第１の滑り止め材と、前記保持部材の前記試料プレパラート側の面に設けられた第２の滑り止め材とを備え、前記レンズの一部が前記保持部材から突出しており、前記第１及び第２の滑り止め材は前記レンズを囲むように設けられているものである。
このレンズユニットでは、前記第１の滑り止め材及び前記第２の滑り止め材に平面視で円形状の孔が形成されており、前記保持部材から突出した前記レンズの一部は前記孔内に位置していてもよい。
また、前記第１の滑り止め材及び／又は前記第２の滑り止め材は、樹脂材料又はゴム材料で形成されていてもよい。
更に、前記レンズと前記保持部材とは一体で形成されていてもよい。
又は、前記保持部材に貫通孔が形成されており、前記貫通孔の内壁により前記レンズが保持されていてもよい。
その場合、前記貫通孔の内壁が不透明化されていてもよい。
一方、前記第１の滑り止め材及び前記第２の滑り止め材は着色されていてもよい。
また、前記第１の滑り止め材及び前記第２の滑り止め材は、少なくとも一部が前記保持部材に埋め込まれていてもよい。
【手続補正６】
【補正対象書類名】明細書
【補正対象項目名】００１０
【補正方法】変更
【補正の内容】
【００１０】
本発明に係る透過型複式顕微鏡装置は、前述したレンズユニットと、カメラ機能を有するスマートデバイスとを有し、前記レンズユニットが、前記スマートデバイスの上に、前記レンズが前記カメラの光軸上に位置するように載置されており、前記試料プレパラートは、前記レンズユニット上に、前記レンズの上方に観察対象の試料が位置するように載置される。
この顕微鏡装置では、例えば前記レンズユニットのレンズは、その光軸が前記カメラに搭載されたレンズの光軸と一致するように配置され、前記試料の透過像は、前記レンズユニットのレンズ及び前記カメラのレンズにより拡大された後、前記カメラに搭載された撮像素子により取得される。
本発明に係る照明用キャップ部材は、前述したレンズユニット又は透過型複式顕微鏡装置と共に使用される照明用キャップ部材であって、不透明材料からなるキャップ部と、前記キャップ部上面に嵌め込まれた採光用レンズとを有し、前記レンズユニットのレンズとその上に載置された試料を覆うように配置され、前記採光用レンズで採光した光で前記試料を照明するものである。
また、本発明に係る他の照明用キャップ部材は、前述したレンズユニット又は透過型複式顕微鏡装置と共に使用される照明用キャップ部材であって、不透明材料からなるキャップ部と、前記キャップ部上面に嵌め込まれた拡散板とを有し、前記レンズユニットのレンズとその上に載置された試料を覆うように配置され、前記拡散板により拡散された光で前記試料を照明するものである。
【手続補正７】
【補正対象書類名】明細書
【補正対象項目名】００３３
【補正方法】変更
【補正の内容】
【００３３】
透過型顕微鏡の場合、照明法が顕微鏡性能に影響する。試料に対する照明法には、光源像を試料面上に作るクリティカル照明と光源の大きさや形に無関係のケーラー照明があるが、本実施形態の試料観察キットでは、ケーラー照明を採用している。具体的には、図６Ａ及びＢに示すように、本実施形態の試料観察キットは、前述した第１の実施形態のレンズユニット１０と、照明用キャップ部材３０とを備えており、照明用キャップ部材３０がケーラー照明として機能する。
【手続補正８】
【補正対象書類名】明細書
【補正対象項目名】００４０
【補正方法】変更
【補正の内容】
【００４０】
図７Ａ及びＢに示すように、本実施形態の試料観察キットは、レンズユニット１１と、照明用キャップ部材３０と、カバーシート４０とを備えている。レンズユニット１１のレンズ１は小さく、焦点距離及び作動距離が極めて小さいため、例えば試料がレンズユニット１１に密接していないなど、試料の配置状態によりピントが合わせにくくなる。
【手続補正９】
【補正対象書類名】明細書
【補正対象項目名】００４２
【補正方法】変更
【補正の内容】
【００４２】
図７Ａに示すように、カバーシート４０は、試料９に被された後、照明用キャップ部材３０で押さえ付けることにより固定される。その形状は、特に限定されるものではないが、例えば中央部４０ａを照明用キャップ部材３０の内側に収まる大きさとし、その左右に矩形状の取っ手部分４０ｂが伸びた形状とすることができる。図７Ｂに示すように、このカバーシート４０の場合、中央部分４０ａを試料９にのせ、照明用キャップ部材３０の溝に取っ手部分４０ｂを収め上から押さえつけて固定する。
【手続補正１０】
【補正対象書類名】明細書
【補正対象項目名】００４９
【補正方法】変更
【補正の内容】
【００４９】
そして、例えば、図９に示すように、レンズユニット１０のレンズ１及び照明用キャップ部材３０の採光用レンズ３２にボールレンズを使用した構成としてもよい。また、図１０に示すように、レンズユニット１０のレンズ１にグリンレンズを使用し、照明用キャップ部材３０に点光源用微小拡散板３５及び平行光化用フレネルレンズ３４を用いた構成としてもよい。更に、図１１に示すように、レンズユニット１０のレンズ１にフレネルレンズを使用し、照明用キャップ部材３０の上面を広域拡散板３６で形成することもできる。これらの構成においても、スマートデバイスに取り付けることで容易に顕微鏡観察画像を取得することが可能である。